(57)【要約】【課題】ブロックパネル本体群を構成する、縦横フレームで取り囲まず連結可能とする塀やパーティションである。【解決手段】両支柱間に、縦フレームの間隔で取り付けられた、固定ボルト付き下部横枠とボルト通し穴口付き上部横枠を掛け渡し連結支持材と固定支持材で固定することで複数のブロックパネル群を縦横フレームで取り囲まず連結可能とする連結支持材を備えたブロックパネルで構成する塀やパーティションである。【選択図】図１
2022001726.tif 000002
【特許請求の範囲】
【請求項１】
ブロックパネル本体には、縦フレームと補強フレームを備え、塀やパーティション全体を支える、通し穴付きジョイントキャップの連結支持材と異形高ナット付き長尺ボルトの固定支持材を備え、両支柱間には、固定ボルトを備えた下部横枠と長尺ボルト固定穴を備えた上部横枠を掛け渡し両支柱に取り付け固定ボルトで固定することでブロックパネル全体が支えられ、ブロックパネル本体は縦横のフレームで囲まず、縦横並びのパネルを連結組み立てる事で縦横のフレームを形成する塀やパーティションである。
【請求項２】
ブロックパネル本体に備えた連結支持材で連結組み立て可能な塀やパーティションであって、
前期、ブロックパネル本体を構成する角パイプ縦フレームと、
前期、ブロックパネル本体を構成する異径高ナットと、
前期、ブロックパネル本体を構成する異径高ナット付き長尺ボルト支持材と、
前期、ブロックパネル本体を構成する通し穴付き両ジョイントキャップ支持材と、
前期、ブロックパネル本体を構成する通し穴付き片ジョイントキャップ支持材と、
前期、ブロックパネル本体を構成する補強フレーム支持材で形成するパネル本体である。
【請求項３】
前期、ブロックパネル本体が、木材とポリマーとエラストマーおよび非鉄金属グループから選んだ、材料のうちの少なくとも３つからできている。請求項２に記載のブロックパネル本体。
【請求項４】
前期、支柱を構成する連結支持材と固定支持材と、
前期、下部横枠を構成する固定連結補強材と連結支持材と、
前期、上部横枠を構成する連結支持材でパネル全体を支え固定できるパーティションである。請求項１に記載のパーティション。
【請求項５】
前期、支柱、枠、支持材が、木材とポリマーとエラストマーおよび非鉄金属からなるグループから選択した材料のうちの少なくとも３つからできている。請求項４に記載の支柱、枠、支持材。
【請求項６】
前期、ブロックパネル本体の形状は、三角形、四角形、六角形、台形など幾何学パターン化できる、すべての形状からできている形状でもよい。請求項１に記載のブロックパネル本体。
【請求項７】
前期、塀やパーティションにブロックパネル全体をスパナ一本の工具で組み立てできる。請求項１に記載のブロックパネル本体。
【発明の詳細な説明】
【技術分野】
【０００１】本発明は、外構の塀やオフィス、住宅、店舗などの室内の間仕切り、パーティションを第１支柱と第２支柱間で構成する複数のブロックパネル群を一つのユニットとし、そのユニットの縦横並びされるブロックパネルを縦フレーム横フレームで取り囲まず連結可能なブロックパネルである。
【背景技術】
【０００２】支柱が丈夫な構造となり、またパネルの連結が簡単であり安定した自由なパーティションの構築が容易となるパーティションのパネル連結装置を提供する。
【先行技術文献】
【特許文献】
【０００３】
【特許文献１】特開  ２０００−３５５９９７
【特許文献２】特許  第４２９１８６９
【発明の概要】
【発明が解決しよとする課題】
【０００４】しかし、これら従来の特許文献１の提案されているパーティションを構成するパネルは、丈夫なフレームで、パネルを取り囲み連結が容易でパーティションの自由な設定や組み立てを容易にでき、また特許文献２の一つのユニット内を複数のパネルを縦横フレームで取り囲み連結したパーティションでは、取り囲むフレームが目立ち過ぎる為、意匠性に欠けたり自由なデザインを進めるには支障がある。
【課題を解決しようとする課題】
【０００５】前期課題を解決するため、本発明は次のように構成された塀やパーティションを提供する。
【０００６】本発明の第１の態様は、オフィス、住宅、店舗などの室内で組み立て配置されるパーティションであって、既存の室内の既存の床と天井間に圧接状態で固定可能でありブロックパネル連結支持材を備えた第１支柱との間の少なくとも一つの間に圧接状態で固定可能でありブロックパネル連結支持材を備えた第２支柱間で下部横枠と上部横枠を掛け渡し固定することで複数のブロックパネル群を縦横フレームで取り囲まず連結可能とする連結支持材を備えたブロックパネルで構成するパーティションである。第２の態様は、住宅の外構で組み立て配置される塀であって、新設のコンクリート基礎に固定支持材で固定可能でありブロックパネル連結支持材を備えた第１支柱との間の少なくとも一つの間に固定支持材で固定可能でありブロックパネル連結支持材を備えた第２支柱間で下部横枠と上部横枠を掛け渡し固定することで複数のブロックパネル群を縦横フレームで取り囲まず連結可能とする連結支持材を備えたブロックパネルで構成する外構の塀である。
【０００７】上記塀、パーティションは、ブロックパネル本体にフレームとなる支持材と連結可能な連結支持材を備えたブロックパネルで形成する。
【０００８】上記塀、パーティションのブロックパネル本体の材料は、ポリマー樹脂を用いることで、機械的強度に優れ耐熱性が比較的高く最も比重密度が低く、軽いといった特長があり意匠性とデザインの自由度を向上させることができる。
【０００９】上記塀、パーティションのブロックパネル本体の成形方法はポリマー樹脂の流動性がよく成形性に適した射出成型での一体成形することで、上記ブロックパネルの生産効率を向上すると共にコストを低減することができる。
【００１０】上記塀、パーティションのブロックパネル本体の表面に樹脂シートやレザーシート、金属板等を貼り付けることで仕上げ処理を効率良く行い、色や模様やテクスチャー等で表面を変化させることで塀やパーティションのデザインを自由に変化させることで意匠性やデザイン性とその自由度を向上させることができ、さらに紫外線よるポリマー樹脂の劣化を防止できる。
【００１１】上記塀やパーティションはブロックパネルの縦フレームと補強フレームが内臓され接続支持材と固定支持材で形成できる。
【図面の簡単な説明】
【００１２】
【図１】ブロックパネル本体の展開図である。
【図２】ブロックパネル本体の姿を示す透視図である。
【図３】ブロックパネル本体の構造を示す透視図である。
【図４】ブロックパネル本体の連結支持材通し穴付きジョイントキャップの展開図である。
【図５】ブロックパネル本体の連結支持材固定長尺ボルトと異径高ナットと固定ボルト、ナットの展開図である。
【図６】パーティションを構成するブロックパネル本体の組み立て実施形態を示す透視図である。
【図７】ブロックパネル本体を組立た塀やパーティションを構成する上下部横枠と連結支持材の連結箇所と固定長尺ボルトと異径高ナットと固定ボルト、ナットを示す概略図である。
【図８】塀やパーティションを構成するパネル本体と基礎との連結による支柱と上下部横枠の実施形態とブロックパネルの組み立て連結支持材を示す概略図である。
【発明を実施するための形態】
【００１３】図１は、本発明の実施形態に係る、塀やパーティションを構成するブロックパネル本体の展開図である。このブロックパネル本体０１の両側面端部には、上部角パイプ縦フレーム６と下部角パイプ縦フレーム７を備え、中央部には、中央部角パイプ縦フレーム５と補強フレームＤを備えることで、図２が示すブロックパネル本体を構成している。
【００１４】図３は、上記ブロックパネル本体の構造を示す透視図で、ブロックパネル本体０１の上部角パイプ縦フレーム６と下部角パイプ縦フレーム７と中央部角パイプ縦フレーム５の口径に固定支持材を差し込むことで、連結固定され塀やパーテーションの縦フレームが形成される。
【００１５】図４は、上記ブロックパネル本体０１の角パイプ縦フレーム６，５，７の口径の上下口に差し込む連結資材であって中心部には、異径高ナットＡ付き長尺ボルト２０を通す、通し穴付きジョイントキャップ３０である。
【００１６】図５は、上記ブロックパネル本体０１の各角パイプ縦フレームの口径Ｃに差し込まれた、通し穴付きジョイントキャップ３０を固定する連結固定金具で異径高ナットＡ付き長尺ボルト２０である。
【００１７】図６は、上記パーティションを構成する、ブロックパネル０１の組み立て実施形態である。まず下部横枠２の先端に支柱３を固定ボルト▲Ａ▼へ異径高ナットＡ付き長尺ボルト２０で固定する。
【００１８】次に、ブロックパネル本体０１の角パイプ縦フレーム６，５，７の間隔で下部横枠２の平面上に固定ボルト▲Ａ▼を取り付け配置したそこへ、異径高ナットＡ付き長尺ボルト２０をセットしそれにに沿ってブロックパネル本体０１を連結固定する。
【００１９】図７は、通し穴付き両ジョイントキャップ３０、通し穴付き片ジョイントキャップ４０と異径高ナットＡ付き長尺ボルト２０と基礎１の取り付け固定箇所を示す図である。始めに固定ボルト▲Ａ▼を角パイプ縦フレーム６，５，７の間隔で取り付け配置された下部横枠２を基礎１に固定ボルト▲Ａ▼で固定し、次に角パイプ縦フレーム６，５，７の間隔で配置された固定ボルト▲Ａ▼に通し穴付き片ジョイントキャップ４０を突き通しそこへ異径高ナットＡ付き長尺ボルト２０を取り付けた固定し、その箇所へ一段目のブロックパネル本体０１をセットし横並び連結する。
【００２０】上記、通し穴付き両ジョイントキャップ３０、通し穴付く片ジョイントキャップ４０のセット方法は、図１ブロックパネル本体０１の縦フレーム６，５，７の口径Ｃに差し込むことでブロックパネル本体０１の横並び、縦並びへの連結を可能とし、異径高ナットＡ付き長尺ボルト２０は、固定ボルト▲Ａ▼と接続延長しブロックパネル本体０１の角パイプ縦フレーム６，５，７の口径Ｃの中心と通し穴付きジョイントキャップを突き通し接続固定することで下段、上段、縦並び、横並びのブロックパネル本体０１の連結によって塀やパーティションの強度を保つ縦フレーム６，５，７と補強フレームＤが形成される。
【００２１】図８は、ブロックパネル本体０１を、塀、パーティションへの組み立て実施形態であって、初めに基礎１に縦フレーム６，５，７の間隔で固定ボルトがセットされた下部横枠２を取り付けその固定ボルトに通し穴付き片ジョイントキャップ４０を突き通し、異径高ナット付き長尺ボルトを接続固定した後下部横枠２両端部へ支柱３を取り付け固定し支柱間に一段目の横並びブロックパネル本体０１をセットし順に二段目、三段目、四段目と繰り返しブロックパネル本体０１の縦フレームの口径に通し穴付き両ジョイントキャップ３０を差し込み異径高ナットＡ付き長尺ボルトで接続固定し、そこへ縦フレーム６，５，７の間隔でボルト通し穴あき上部横枠４を両支柱間に掛け渡し固定ナット▲Ｂ▼で固定し両支柱端部より上部横枠４を固定ボルト▲Ａ▼で固定することで塀、パーティション全体が形成される。
【符号の説明】
【００２２】０１  ブロックパネル本体
１  基    礎
２  下部横枠
３  支    柱
４  上部横枠
５  中央部角パイプ縦フレーム
６  上部角パイプ縦フレーム
７  下部角パイプ縦フレーム
２０  異径高ナット付き長尺ボルト
３０  通し穴付き両ジョイントキャップ
４０  通し穴付き片ジョイントキャップ
▲Ａ▼  固定ボルト
Ａ  異径高ナット
▲Ｂ▼  固定ナット
Ｂ  通し穴
Ｃ  縦フレーム口径
Ｄ  補強フレーム
【図１】
2022001726.tif 000003
【図２】
2022001726.tif 000004
【図３】
2022001726.tif 000005
【図４】
2022001726.tif 000006
【図５】
2022001726.tif 000007
【図６】
2022001726.tif 000008
【図７】
2022001726.tif 000009
【図８】
2022001726.tif 000010